【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
レーザ照射により情報記録が行われる記録層としての複数のレイヤを有する記録媒体の１つのレイヤに対し、連続記録領域としてのトラックを、記録目的別に複数個設定するトラック設定処理と、各トラックについて１つのレイヤ内のみで連続記録完了状態とするクローズトラック処理とを行う制御部を備えた記録管理装置。
【請求項２】
上記制御部は、記録動作により或るレイヤの或る１つのトラックへの記録が進行して、該レイヤ内での該トラックの領域が記録済み状態となった場合に、該トラックについての上記クローズトラック処理を行う請求項１に記載の記録管理装置。
【請求項３】
上記制御部は、或るレイヤの或る１つのトラックについての上記クローズトラック処理を行った場合、他のレイヤに対して、トラックを記録目的別に複数個設定するトラック設定処理を行う請求項１又は請求項２に記載の記録管理装置。
【請求項４】
上記制御部は、上記トラック設定処理を行う際において、過去に上記トラック設定処理対象とされていないレイヤのうちで、レーザ光入射面側からみて最も奥となるレイヤを対象として上記トラック設定処理を行う請求項１乃至請求項３のいずれかに記載の記録管理装置。
【請求項５】
上記制御部は、トラックが設定されていない記録媒体に対して、最初に、レーザ光入射面側からみて最も奥のレイヤに対し上記トラック設定処理を行うとともに、当該最も奥のレイヤのトラックから記録部による記録動作を実行させ、
記録動作の進行に応じて、レーザ光入射面側からみて順次手前側のレイヤに対し、上記トラック設定処理を行う請求項１乃至請求項４のいずれかに記載の記録管理装置。
【請求項６】
上記制御部は、上記トラック設定処理として、管理情報を記録目的とする管理情報トラックと、ユーザデータを記録目的とするユーザデータトラックと、上記管理情報のミラーデータを記録目的とするミラートラックとを、少なくとも設定する請求項１乃至請求項５のいずれかに記載の記録管理装置。
【請求項７】
上記制御部は、各レイヤにおける上記管理情報トラックと、各レイヤにおける上記ユーザデータトラックと、各レイヤにおける上記ミラートラックのそれぞれが、レーザ光の入射光軸方向に重なるように各トラックを設定する請求項６に記載の記録管理装置。
【請求項８】
上記制御部は、記録媒体がマルチセッション構造で管理される状態とするとともに、１つのレイヤ毎にセッションクローズ処理を実行する請求項１に記載の記録管理装置。
【請求項９】
上記制御部は、レーザ光入射面側からみて奥側となるレイヤから順にセッションクローズ処理を行う請求項８に記載の記録管理装置。
【請求項１０】
レーザ照射により情報記録が行われる記録層としての複数のレイヤを有する記録媒体の１つのレイヤに対し、連続記録領域としてのトラックを、記録目的別に複数個設定するトラック設定処理を行うとともに、
各トラックについて１つのレイヤ内のみで連続記録完了状態とするクローズトラック処理を行う記録管理方法。
【請求項１１】
レーザ照射により情報記録が行われる記録層としての複数のレイヤを有する記録媒体の１つのレイヤに対し、連続記録領域としてのトラックを、記録目的別に複数個設定するトラック設定処理と、
各トラックについて１つのレイヤ内のみで連続記録完了状態とするクローズトラック処理と、
を演算処理装置に実行させるプログラム。
【手続補正２】
【補正対象書類名】明細書
【補正対象項目名】００６９
【補正方法】変更
【補正の内容】
【００６９】
フォーカスサーボ信号ＦＳ-svは、２軸ドライバ４１に供給される。２軸ドライバ４１は、フォーカスサーボ信号ＦＳ-svに基づくフォーカスドライブ信号ＦＤ-svを生成し、該フォーカスドライブ信号ＦＤ-svに基づき２軸アクチュエータ２１のフォーカスコイルを駆動する。
これにより、基準面用レーザ光についてのフォーカスサーボ制御、即ち基準面用レーザ光を基準面Ｒｅｆに合焦させるフォーカスサーボ制御が実現される。
【手続補正３】
【補正対象書類名】明細書
【補正対象項目名】００８３
【補正方法】変更
【補正の内容】
【００８３】
１層ディスクの場合は、物理的な記録領域としてレイヤＬ０のみであるため、必然的に図７Ｂのように、各トラックＴＫはレイヤＬ０に形成されることになる。
ここで図８に比較例としての多層ディスクの例を示す。
図８Ａの論理レイアウトは、概略図７Ａと同様となる。
図８Ｂに６層ディスクの場合の物理的な配置例を示している。レイヤＬ０〜Ｌ５の領域を用いて、図８Ａの論理レイアウトのトラック記録を実現している。レイヤＬ０〜Ｌ５を１つの物理的記録空間とし、トラックＴＫ＃１〜ＴＫ＃５を設定する。
この例では、トラックＴＫ＃１、ＴＫ＃２はレイヤＬ０内で設定され、トラックＴＫ＃３はレイヤＬ０〜Ｌ５の範囲にわたって設定される。そしてトラックＴＫ＃４，ＴＫ＃５はレイヤＬ５の後端領域に設定される。
つまりこの図８の例は、多層ディスクにおいて、１層ディスクに対応したファイルシステムを、そのまま各記録層全体に拡張して適用しただけのものとなる。
【手続補正４】
【補正対象書類名】明細書
【補正対象項目名】０１０１
【補正方法】変更
【補正の内容】
【０１０１】
図１２はフォーマットコマンドの際のドライブ制御部１０１の処理を示している。
フォーマットリクエストがあるとドライブ制御部１０１はステップＦ１０１で、多層記録媒体１のディスクパラメータを取得し、ステップＦ１０２でブランクディスクであるか否かを確認する。
ブランクディスクでなければ、ステップＦ１０２からＦ１０３に進み、現在装填されている多層記録媒体１は、フォーマットできない光ディスクであるとして、フォーマット処理を終える。
【手続補正５】
【補正対象書類名】明細書
【補正対象項目名】０１５４
【補正方法】変更
【補正の内容】
【０１５４】
結局レイヤ毎に、最終的な管理情報（ＡＶＤＰ、ＭＶＤＳ）の記録を目的とするトラック（例えばトラックＴＫ＃１）と、ユーザデータや過渡的管理情報の記録を目的とするトラック（例えばトラックＴＫ＃２）という記録目的に応じた複数のトラックが設定されることになる。その上で、レイヤ毎に１つのセッションが完結するマルチセッション方式の管理形態をとる。
これにより、上述のように多層ライトワンスディスクでＶＡＴを用いることを実現することができる。
【手続補正６】
【補正対象書類名】明細書
【補正対象項目名】０１６０
【補正方法】変更
【補正の内容】
【０１６０】
なお本技術は以下のような構成も採ることができる。
（１）レーザ照射により情報記録が行われる記録層としての複数のレイヤを有する記録媒体の１つのレイヤに対し、連続記録領域としてのトラックを、記録目的別に複数個設定するトラック設定処理と、各トラックについて１つのレイヤ内のみで連続記録完了状態とするクローズトラック処理とを行う制御部を備えた記録管理装置。
（２）上記制御部は、記録動作により或るレイヤの或る１つのトラックへの記録が進行して、該レイヤ内での該トラックの領域が記録済み状態となった場合に、該トラックについての上記クローズトラック処理を行う上記（１）に記載の記録管理装置。
（３）上記制御部は、或るレイヤの或る１つのトラックについての上記クローズトラック処理を行った場合、他のレイヤに対して、トラックを記録目的別に複数個設定するトラック設定処理を行う上記（１）又は（２）に記載の記録管理装置。
（４）上記制御部は、上記トラック設定処理を行う際において、過去に上記トラック設定処理対象とされていないレイヤのうちで、レーザ光入射面側からみて最も奥となるレイヤを対象として上記トラック設定処理を行う上記（１）乃至（３）のいずれかに記載の記録管理装置。
（５）上記制御部は、トラックが設定されていない記録媒体に対して、最初に、レーザ光入射面側からみて最も奥のレイヤに対し上記トラック設定処理を行うとともに、当該最も奥のレイヤのトラックから記録部による記録動作を実行させ、
記録動作の進行に応じて、レーザ光入射面側からみて順次手前側のレイヤに対し、上記トラック設定処理を行う上記（１）乃至（４）のいずれかに記載の記録管理装置。
（６）上記制御部は、上記トラック設定処理として、管理情報を記録目的とする管理情報トラックと、ユーザデータを記録目的とするユーザデータトラックと、上記管理情報のミラーデータを記録目的とするミラートラックとを、少なくとも設定する上記（１）乃至（５）のいずれかに記載の記録管理装置。
（７）上記制御部は、各レイヤにおける上記管理情報トラックと、各レイヤにおける上記ユーザデータトラックと、各レイヤにおける上記ミラートラックのそれぞれが、レーザ光の入射光軸方向に重なるように各トラックを設定する上記（６）に記載の記録管理装置。
（８）上記制御部は、記録媒体がマルチセッション構造で管理される状態とするとともに、１つのレイヤ毎にセッションクローズ処理を実行する上記（１）に記載の記録管理装置。
（９）上記制御部は、レーザ光入射面側からみて奥側となるレイヤから順にセッションクローズ処理を行う上記（８）に記載の記録管理装置。
【手続補正７】
【補正対象書類名】図面
【補正対象項目名】図１８
【補正方法】変更
【補正の内容】
【図１８】
2014006945.tif 000001
【手続補正８】
【補正対象書類名】図面
【補正対象項目名】図２１
【補正方法】変更
【補正の内容】
【図２１】
2014006945.tif 000002